(57)【要約】      （修正有）【課題】操作ボタンの露出面にヒケが表れることを抑制可能なコンロを提供する。【解決手段】ガスコンロ（コンロ）は、前進及び後退する被押圧部８３を備えた燃料供給装置８０の前側に点火ボタン１１（操作ボタン）が配置される。点火ボタン１１は、被押圧部８３の前側に配置され、当該ガスコンロの外側に露出する前面３２Ａを有する前壁部３２（第１壁部）と、被押圧部８３の前側において前壁部３２と被押圧部８３との間に配置され、前壁部３２と一体的に設けられる後壁部４０（第２壁部）と、を備える。後壁部４０は、被押圧部８３側に突出した構成をなすとともに、前壁部３２が後方側に変位する動作と連動して被押圧部８３を後方側へ押し込む突出部４１を有する。前壁部３２の後面３２Ｂと後壁部４０の前面４０Ａとの間に空隙４５が存在する。【選択図】図５
2020063873.tif 000002
【特許請求の範囲】
【請求項１】
前進及び後退する被押圧部を備えた燃料供給装置の前側に操作ボタンが配置されるコンロであって、
前記操作ボタンは、
前記被押圧部の前側に配置され、当該コンロの外側に露出する前面を有する第１壁部と、
前記被押圧部の前側において前記第１壁部と前記被押圧部との間に配置され、前記第１壁部と一体的に設けられる第２壁部と、を備え、
前記第２壁部は、前記被押圧部側に突出した構成をなすとともに、前記第１壁部が後方側に変位する動作と連動して前記被押圧部を後方側へ押し込む突出部を有し、
前記第１壁部の後面と前記第２壁部の前面との間に空隙が存在する
コンロ。
【請求項２】
前記第２壁部に連結されるとともに前記第２壁部の前面から前記第１壁部側へと延びる第３壁部を備え、
前記第１壁部の後面と前記第２壁部の前面との間において前記第３壁部以外の領域に空隙が存在する
請求項１に記載のコンロ。
【請求項３】
前記第３壁部の前端は、前記第１壁部の後面から離間している
請求項２に記載のコンロ。
【請求項４】
前記突出部は、リブ状をなし、
前記第３壁部の厚さが前記突出部の厚さよりも小さい
請求項２又は請求項３に記載のコンロ。
【発明の詳細な説明】
【技術分野】
【０００１】
本発明は、コンロに関するものである。
【背景技術】
【０００２】
従来、前進及び後退する被押圧部を備えた燃料供給装置の前側に操作ボタンが配置されるコンロが知られている。例えば、特許文献１に開示されるコンロは、筐体２内に点火スイッチ４３１を備えたガス供給装置４３が設けられ、筐体２の前部に設けられたフロントパネル５０に点火スイッチ４３１を後退させる点火ボタン１３が設けられている。
【先行技術文献】
【特許文献】
【０００３】
【特許文献１】特開２０１８−４４７０９号公報
【発明の概要】
【発明が解決しようとする課題】
【０００４】
特許文献１で開示されるコンロの点火ボタン１３には、筐体２内に設けられたガス供給装置４３の点火スイッチ４３１に当接する当接部１５４が設けられている。当接部１５４は、コンロの外側に露出する前壁部１３１の背面から後方に突出する複数枚のリブ１５４Ａによって構成されている。そして、点火ボタン１３を押し込み操作すると、当接部１５４が点火スイッチ４３１の先端部に当接し、点火ボタン１３が後方側に変位する動作と連動して点火スイッチ４３１が後退する。すると、ガス供給装置４３内のガス流路が開放または遮断され、コンロバーナ７が点火または消火されるようになっている。
【０００５】
ところで、点火ボタン１３には、押し込み操作時に加わる荷重に耐えるために、十分な強度が要求される。しかしながら、点火ボタン１３の強度を十分なものとするためにリブ１５４Ａの厚さを大きくした場合、リブ１５４Ａの形成に起因して前壁部１３１の前面にヒケを生じることが懸念される。このようなヒケが、点火ボタン１３におけるコンロの外側に露出する面に表れるとコンロの美観が損なわれる虞があり、問題がある。
【０００６】
本発明は上述した課題の少なくとも一つを解決するためになされたものであり、操作ボタンの露出面にヒケが表れることを抑制可能なコンロを提供することを目的とする。
【課題を解決するための手段】
【０００７】
本発明の一態様のコンロは、
前進及び後退する被押圧部を備えた燃料供給装置の前側に操作ボタンが配置されるコンロであって、
前記操作ボタンは、
前記被押圧部の前側に配置され、当該コンロの外側に露出する前面を有する第１壁部と、
前記被押圧部の前側において前記第１壁部と前記被押圧部との間に配置され、前記第１壁部と一体的に設けられる第２壁部と、を備え、
前記第２壁部は、前記被押圧部側に突出した構成をなすとともに、前記第１壁部が後方側に変位する動作と連動して前記被押圧部を後方側へ押し込む突出部を有し、
前記第１壁部の後面と前記第２壁部の前面との間に空隙が存在する。
【発明の効果】
【０００８】
上記一態様のコンロでは、操作ボタンの形成時に突出部の形成に起因するヒケが突出部の前側の部位に表れるとしても、第２壁部の前面に表れる懸念はあるが、空隙を介して前側に配置された第１壁部の前面（露出面）には表れにくくなる。よって、突出部に起因するヒケが露出面に表れてコンロの美観が損なわれることを、より確実に抑制することができる。
【図面の簡単な説明】
【０００９】
【図１】図１は、実施例１のガスコンロを概略的に示す正面図である。
【図２】図２は、実施例１のガスコンロを概略的に示す分解斜視図である。
【図３】図３は、点火ボタンが取り付けられた前面パネルを斜め後ろ側から見た斜視図である。
【図４】図４は、点火ボタンが取り付けられた前面パネルを後ろ側から見た後面図である。
【図５】図５は、点火ボタンを図１のＡ−Ａ位置で切断した断面を概略的に示す断面図である。
【図６】図６（Ａ）は、点火ボタンを図５のＢ−Ｂ位置で切断した断面を概略的に示す断面図である。図６（Ｂ）は、図６（Ａ）の状態から点火ボタンを押し込み操作した状態を概略的に示す断面図である。
【図７】図７（Ａ）は、実施例２のガスコンロにおける点火ボタンを概略的に示す断面図である。図７（Ｂ）は、図７（Ａ）の状態から点火ボタンを押し込み操作した状態を概略的に示す断面図である。
【発明を実施するための形態】
【００１０】
ここで、本発明の望ましい一例を示す。
上記コンロは、第２壁部に連結されるとともに第２壁部の前面から第１壁部側へと延びる第３壁部を備え、第１壁部の後面と第２壁部の前面との間において第３壁部以外の領域に空隙が存在していてもよい。この構成によれば、第３壁部によって第２壁部の前面付近を補強することができる。また、操作ボタンの形成時に第３壁部の形成に起因するヒケが生じる懸念に関しては、第１壁部の後面と第２壁部の前面との間において第３壁部以外の領域に空隙が確保されているため、少なくとも第１壁部の前面（露出面）において空隙の前位置ではヒケの影響が及びにくい。よって、第２壁部付近の強度向上とヒケに起因する美観低下の抑制を両立することができる。
【００１１】
第３壁部の前端は、第１壁部の後面から離間していてもよい。このように第３壁部の前端が第１壁部の後面から離間していれば、操作ボタンの形成時に第３壁部の形成に起因するヒケが第１壁部の前面（露出面）に表れることを、より確実に抑制することができる。
【００１２】
突出部は、リブ状をなし、第３壁部の厚さが突出部の厚さよりも小さい構成であってもよい。このように第３壁部の厚さが突出部の厚さよりも小さい構成であれば、第３壁部による補強構造を実現しつつ、第３壁部の形成に起因するヒケを、より小さいもの、あるいは生じないものとすることができる。
【００１３】
＜実施例１＞
以下、実施例１について、図面を参照して説明する。
図１、図２のように、ガスコンロ１（コンロ）は、ガスバーナ４，５，６、ガスバーナ４，５，６を収容するコンロ本体部１Ａなどを有しており、図示しないキャビネットに組み込まれるビルトインコンロとして構成されている。
【００１４】
以下の説明では、ガスコンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がガスコンロ１の左右方向であり、上下方向がガスコンロ１の上下方向である。また、図２において、左斜め下方、右斜め上方、右斜め下方、左斜め上方を、それぞれ、ガスコンロ１の前方、後方、右方、左方とする。
【００１５】
ガスコンロ１は、システムキッチンのカウンタトップに設けられた開口に落とし込まれて設置されている。図２のように、ガスコンロ１はコンロ本体部１Ａによって外殻（ケース体）が構成されており、このコンロ本体部１Ａの内部にガスバーナなどの各種部品が収容された構成をなす。コンロ本体部１Ａは、箱状の筐体部２と、筐体部２の上端部に固定される天板３と、筐体部２の前部に固定される前面パネル２０（フロントパネル）と、前面パネル２０の前側に装着される化粧パネル７０と、を備える。
【００１６】
筐体部２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体部２の前面部（図示略）はフレーム状又は壁状に構成されており、これら前面部、側壁部、後壁部によって筐体部２の内部空間の前後左右を囲む構成をなし、これら前面部、側壁部、後壁部の下部には底壁部（図示略）が連結されている。筐体部２は、これらの壁部によって上部が開口した箱状形態をなしており、筐体部２の上端部には、天板３（トッププレート）が取り付けられている。
【００１７】
図１、図２のように、天板３は、板状に構成されると共にガスバーナを露出させるための開口部（貫通孔）が複数個形成された構成をなす。天板３は、カウンタトップの上側に配置される。前面パネル２０は、コンロ本体部１Ａの前面部を構成する板状の壁部であり、例えば、金属材料又は樹脂材料を主体として構成されている。本構成では、前面パネル２０は、筐体部２とは別部材として構成され、筐体部２の前端部を覆うように筐体部２に対して固定されているが、前面パネル２０と筐体部２とが一体的に構成されていてもよい。
【００１８】
図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。各ガスバーナ４〜６のそれぞれには、点火する為のイグナイタ（図示略）が設けられている。
【００１９】
筐体部２の中央付近には、グリル部８が設けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。天板３において後端寄りの位置には、グリル庫と連通するグリル排気口９が設けられている。
【００２０】
図１のように、筐体部２の前面の右寄りには２つの点火ボタン１１、１４が、左寄りにはもう２つの点火ボタン１２、１３が設けられている。点火ボタン１１は、ガスバーナ４の点火及び消火を操作するために対応付けられた操作ボタンであり、点火ボタン１２は、ガスバーナ５の点火及び消火を操作するために対応付けられた操作ボタンであり、点火ボタン１３は、ガスバーナ６の点火及び消火を操作するために対応付けられた操作ボタンである。点火ボタン１４は、グリル部８のガスバーナ（グリルバーナ）の点火及び消火を操作するための操作ボタンである。各点火ボタン１１〜１４は、前面パネル２０の前面よりも前方へ突出して設けられ、筐体部２の内部に設けられた図示しない制御回路と接続されており、使用者が押し込み操作すると、制御回路による制御により、その操作されたボタンに対応するガスバーナの点火又は消火が行われるようになっている。
【００２１】
レバー１６Ａ，１６Ｂ，１６Ｃ，１６Ｄはそれぞれ、対応するガスバーナ４〜６又はグリル部８のグリルバーナにおける火力を調整するための火力調整レバーである。点火ボタン１２，１３の下側には、ガスコンロ１に電力を供給するための電池を収容する電池ボックス１８が設けられている。点火ボタン１１，１４の下側には、各コンロによる調理の加熱温度、加熱時間等を設定するための操作パネルを前後方向に出退可能に保持する操作ユニット１９が設けられている。
【００２２】
図３〜図６を参照して、点火ボタン１１について説明する。点火ボタン１１〜１４は互いに同様の構成とされており、以下の説明では点火ボタン１１を例にとって説明する。
点火ボタン１１は、筐体部２内に配置された燃料供給装置８０の前側に位置して、前面パネル２０に取り付けられている。
【００２３】
燃料供給装置８０は、ガスバーナ４に連なるガス流路を有し、ガスバーナ４に供給するガス量を調節する装置である。燃料供給装置８０は、点火消火機構８１と、図示しないガス量増減機構、火力調節機構等を備えて構成されている。点火消火機構８１は、燃料供給装置８０の下部に設けられ、点火ボタン１１の押し込み操作により、ガスバーナ６の点火消火を行う。点火消火機構８１の前端部には、点火ボタン１１によって押圧される被押圧部８３（点火部、点火スイッチ等とも称される）が設けられている。被押圧部８３は、前方に付勢され、プッシュプッシュ機構（図示略）により前進及び後退する構成となっている。被押圧部８３は、点火ボタン１１の押し込み操作により交互に前方位置と後方位置とに変更される。そして、燃料供給装置８０は、被押圧部８３の後方位置においてガス流路が開放され、被押圧部８３の前方位置においてガス流路が遮断される構成となっている。
【００２４】
「コンロ」においては、筐体内における燃料供給装置の位置が予め設定されている場合があり、そのような場合においては被押圧部の位置に応じて点火ボタンの配置や形状が制約され得る。点火ボタンは、コンロにおいて外観を構成するとともに、操作部としての機能上、使用者の目に付きやすい部品であり、コンロの美観保持という観点において、その配置や形状が問題となる部品と言える。特に、実施例１に係るガスコンロ１は、図１に示すように、点火ボタン１１〜１４やグリル扉８Ｂの取っ手８Ｃ等によって、前面の全長にわたって左右方向に延びるライン状のデザインが構成されており、ガスコンロ１の美観保持という観点において、点火ボタン１１の配置や形状が特に問題となる。このような事情に鑑みて、実施例１の点火ボタン１１は次のような構成となっている。
【００２５】
図３及び図４に示すように、点火ボタン１１は、各部が一体に射出成形された樹脂成形品である。点火ボタン１１は、前面パネル２０の開口２１から表面側に露出する本体部３０と、本体部３０から上方に延出して前面パネル２０に取り付けられる取付部６０と、を有する。前面パネル２０には、後面側に点火ボタン１１を軸支するための軸支孔２３，２３が設けられている。取付部６０には、軸支孔２３、２３に軸支される一対の揺動軸６１、６１が左右に突出する形で設けられている。揺動軸６１は、軸心６１Ａが左右方向となっている。軸心６１Ａは、揺動軸６１の揺動（回動）の中心となる仮想的な中心軸線である。点火ボタン１１は、本体部３０が押し込み操作されることにより、前面パネル２０に対して揺動軸６１周りに前後に揺動する構成となっており、揺動時には軸心６１Ａ（中心軸線）を中心として揺動（回動）する。
【００２６】
図４及び図５に示すように、本体部３０は、前面パネル２０の開口２１より一回り小さい正面視矩形状をなし、全体としては後方に向けて開口した略箱形を有している。本体部３０は、本体部３０の上側において上下方向に沿って延びる形の前壁部３２と、本体部３０の下側において上下方向に沿って延びる形の下壁部３４と、前壁部３２の下端及び下壁部３４の上端から前方に張り出した構成をなす張出壁部３３と、これらの壁部３２，３３，３４の周囲から後方に向けて立ち上がる周壁部３５と、を備えている。
【００２７】
前壁部３２は、被押圧部８３の前側に配置され、当該ガスコンロ１の外側に露出する前面３２Ａを有する。この前壁部３２は、第１壁部の一例である。前壁部３２は、前面パネル２０に化粧パネル７０を装着した状態で、前面２０Ａが化粧パネル７０の前面と面一状をなす。張出壁部３３は、点火ボタン１１を押し込み操作する際に使用者が手指等を掛けて押圧する部分となっている。また、張出壁部３３は、グリル扉８Ｂの取っ手８Ｃと化粧パネル７０に設けられたパネル側張出部７１と同等の張り出し寸法を有するとともに、上面が取っ手８Ｃ及びパネル側張出部７１の上面と同一面内に位置し、これらと一連の意匠を構成する。
【００２８】
点火ボタン１１は、前壁部３２と対向して、前壁部３２の後方に配置される後壁部４０を更に備えている。後壁部４０は、被押圧部８３の前側において前壁部３２と被押圧部８３との間に配置され、前壁部３２と一体的に設けられている。この後壁部４０は第２壁部の一例である。具体的には、後壁部４０は、前壁部３２と略同一形状を有する壁状をなし、前壁部３２と平行して配置されている。そして、後壁部４０は、上端が周壁部３５の上側部分を介して前壁部３２の上端と連結され、下端が接続壁部３６を介して前壁部３２の下端と連結される。周壁部３５の上側部分は、前面パネル２０の開口２１に挿通される部位であり、点火ボタン１１を押し込み操作していない状態では、上面が前面パネル２０ないし化粧パネル７０に覆われて外部に露出しないようになっている。接続壁部３６は、前壁部３２の下端において張出壁部３３が前方に張り出す位置付近から、張出壁部３３とは反対側に延びる壁状をなす。なお、後壁部４０の左端と右端は前壁部３２と連結されておらず、後述する空隙４５を形成するための成形型を左右に抜くことができるようになっている（図６参照）。
【００２９】
後壁部４０は、被押圧部８３側に突出した構成をなす突出部４１を有する。また、後壁部４０の前面４０Ａには、点火ボタン１１を補強するための補強壁部５０が設けられている。補強壁部５０は、後壁部４０に連結されるとともに後壁部４０の前面４０Ａから前壁部３２側へと延びる。この補強壁部５０は、第３壁部の一例である。
【００３０】
突出部４１は、後壁部４０の裏面４０Ｂにおける被押圧部８３と正対する位置から後方に向けて突出する。突出部４１は、後壁部４０の裏面４０Ｂにおいて上下方向に延びるリブ状をなし、後壁部４０の左右に３本のリブが並ぶ形で構成されている。この突出部４１は、各リブの突出端面が被押圧部８３に当接する当接面４１Ａを構成する。突出部４１は、前壁部３２が後方側に変位する動作と連動して被押圧部８３を後方側へ押し込むものとされる（図６参照）。点火ボタン１１は、突出部４１がリブ状に形成されることにより、被押圧部８３の位置に応じて突出部４１の突出高さを適宜変更し、当接面４１Ａの位置を設計し易い構成とされる。本実施例１では、突出部４１は、上方に向かうにつれて突出高さが高くなり、上端が周壁部３５に連結される。
【００３１】
補強壁部５０は、空隙４５の少なくとも一部を左右に仕切るようにして上下方向に延びる壁状をなし、後壁部４０における突出部４１の前側に連結している。補強壁部５０は、上端が周壁部３５の上側部分に連結されるとともに下端が接続壁部３６に連結される一方、前端５０Ａが前壁部３２に連結されない構成となっている。周壁部３５の上側部分は、点火ボタン１１の押し込み操作時には、上面が前方に下降する傾斜姿勢となり、前面パネル２０の開口２１から上面における前側部分が視認される可能性がある。本実施例１では、補強壁部５０は周壁部３５の前側部分（前壁部３２に近い部位）には連結しておらず、補強壁部５０の形成に起因して周壁部３５にヒケが表れるとしても、そのようなヒケが外部から視認されにくくなっている。つまり、本実施例１では、ガスコンロ１の外側に露出する露出面を有しない部位に連結した補強壁部５０により、後壁部４０を構造的に補強し、点火ボタン１１の強度を高めている。
【００３２】
点火ボタン１１には、前壁部３２の後面３２Ｂと後壁部４０の前面４０Ａとの間に空隙４５が存在する。空隙４５は、前壁部３２の後面３２Ｂと後壁部４０の前面４０Ａとの間において補強壁部５０以外の領域４５Ａ，４５Ｂに少なくとも存在する。本実施例１では、空隙４５は、前壁部３２の後面３２Ｂと補強壁部５０との間の領域４５Ｃにも存在している。具体的には、空隙４５は、前壁部３２と、後壁部４０と、周壁部３５の上側部分と、接続壁部３６とにより角筒状に囲まれた空間のうち、補強壁部５０が占有する領域以外の領域４５Ａ，４５Ｂ，４５Ｃとされる。このような空隙４５は、例えば、前後方向を型開き方向とする一対の成形型により点火ボタン１１を射出成形する場合にアンダーカット形状となる。点火ボタンは、成形性の観点から、アンダーカット形状を有しないシンプルな箱型等とされることが一般的であるが、本実施例１では、空隙４５を形成することにより、前壁部３２を後壁部４０における突出部４１が接合する部位から離間させる構成を採用している。そして、前壁部３２を所定の厚さの平板状に形成して、ガスコンロ１の外側に露出する前壁部３２の前面３２Ａにヒケ等の局所的な成形不良を生じ難い構成が実現されている。
【００３３】
続いて、本実施例１の点火ボタン１１によるガスバーナ４の点火操作及び消火操作について、図６を参照しつつ説明する。
ガスバーナ４の消火状態のときに使用者が張出壁部３３を押圧して点火ボタン１１を押し込み操作すると、点火ボタン１１が揺動軸６１周りに後方に向けて回動する。すると、突出部４１の当接面４１Ａが燃料供給装置８０の被押圧部８３に当接し、図６（Ａ）に示す前方位置の被押圧部８３を後方へ進行させる。後方に進行した被押圧部８３は、プッシュプッシュ機構により、図６（Ｂ）に示す後方位置に保持され、燃料供給装置８０のガス流路が開放される。そして、燃料供給装置８０からガスバーナ４にガスが供給され、イグナイタによって点火される。
【００３４】
ガスバーナ４が点火された状態において、使用者が張出壁部３３等に手指をかけて、点火ボタン１１を押し込み操作すると、点火ボタン１１が揺動軸６１周りに後方に向けて回動する。すると、突出部４１の当接面４１Ａが燃料供給装置８０の被押圧部８３に当接し、図６（Ｂ）に示す後方位置の被押圧部８３を更に後方へ進行させる。後方に進行した被押圧部８３は、プッシュプッシュ機構により後方位置への保持が解除され、前方に向かう付勢力により図６（Ａ）に示す前方位置に変位して燃料供給装置８０のガス流路が遮断される。そして、燃料供給装置８０からガスバーナ４にガスが供給されなくなり、ガスバーナ４が消火される。
【００３５】
次に、本構成の効果を例示する。
上述したガスコンロ１では、点火ボタン１１の形成時に突出部４１の形成に起因するヒケが突出部４１の前側の部位に表れるとしても、後壁部４０の前面４０Ａに表れる懸念はあるが、空隙４５を介して前側に配置された前壁部３２の前面３２Ａ（露出面）には表れにくくなる。よって、突出部４１に起因するヒケが露出面に表れてガスコンロ１の美観が損なわれることを、より確実に抑制することができる。
【００３６】
点火ボタン１１の露出面におけるヒケの発生は点火ボタン１１の歩留まり低下の一因となる。上述したガスコンロ１では、突出部４１に起因するヒケが露出面に表れにくい構成とされることにより、点火ボタン１１の歩留まり低下を抑制することができる。
【００３７】
点火ボタン１１は、補強壁部５０を備え、前壁部３２の後面３２Ｂと後壁部４０の前面４０Ａとの間において補強壁部５０以外の領域４５Ａ，４５Ｂに空隙４５が存在する。このような構成によれば、補強壁部５０によって後壁部４０の前面４０Ａ付近を補強することができる。具体的には、点火ボタン１１の押し込み操作時、被押圧部８３に当接する突出部４１には荷重が掛かるが、補強壁部５０により後壁部４０の強度を確保することができ、突出部４１に過度な荷重が掛かった場合であっても、点火ボタン１１が破損する事態を抑制することができる。
また、点火ボタン１１の形成時に補強壁部５０の形成に起因するヒケが生じる懸念に関しては、前壁部３２の後面３２Ｂと後壁部４０の前面４０Ａとの間において補強壁部５０以外の領域４５Ａ，４５Ｂに空隙４５が確保されているため、少なくとも前壁部３２の前面３２Ａ（露出面）において空隙４５の前位置ではヒケの影響が及びにくい。よって、後壁部４０付近の強度向上とヒケに起因する美観低下の抑制を両立することができる。
【００３８】
補強壁部５０の前端５０Ａは、前壁部３２の後面３２Ｂから離間している。このように補強壁部５０の前端５０Ａが前壁部３２の後面３２Ｂから離間していれば、点火ボタン１１の形成時に補強壁部５０の形成に起因するヒケが前壁部３２の前面３２Ａ（露出面）に表れることを、より確実に抑制することができる。
【００３９】
＜実施例２＞
次に、図７等を参照し、実施例２に係るガスコンロについて説明する。実施例２で示すガスコンロにおいて、点火ボタン２１１は補強壁部２５０の構成が実施例１の点火ボタン１１と異なるだけであり、それ以外は、実施例１のガスコンロ１と同様である。よって、図７で示す実施例２のガスコンロにおいて実施例１のガスコンロ１と同様の部分については、同一の符号を付し、詳細な説明は省略する。
【００４０】
補強壁部２５０は、後壁部４０に連結されるとともに後壁部４０の前面４０Ａから前壁部３２側へと延びる。この補強壁部２５０は、第３壁部の一例である。補強壁部２５０の厚さは突出部４１の厚さよりも小さい。詳細には、補強壁部２５０は、突出部４１を構成する各リブよりも肉薄とされ、補強壁部２５０の形成に起因するヒケを、突出部４１の形成に起因するヒケより小さいもの（ヒケを生じない場合を含む）とすることができる程度の厚さ寸法に設計されている。補強壁部２５０は、空隙４５を左右に仕切る壁状をなし、後壁部４０における突出部４１の前側に連結している。補強壁部２５０は、上端が周壁部３５の上側部分に連結されるとともに下端が接続壁部３６に連結され、前端が前壁部３２の後面３２Ｂに連結される構成となっている。本実施例２では、前壁部３２と後壁部４０の双方を補強壁部２５０により構造的に補強して、点火ボタン２１１の強度を確保可能となっている。
【００４１】
点火ボタン２１１には、前壁部３２の後面３２Ｂと後壁部４０の前面４０Ａとの間に空隙２４５が存在する。空隙２４５は、前壁部３２の後面３２Ｂと後壁部４０の前面４０Ａとの間において補強壁部５０以外の領域４５Ａ，４５Ｂに存在する。具体的には、空隙２４５は、前壁部３２と、後壁部４０と、周壁部３５の上側部分と、接続壁部３６とにより角筒状に囲まれた空間のうち、補強壁部２５０が占有する領域以外の領域４５Ａ，４５Ｂとされる。このような空隙２４５は、例えば、前後方向を型開き方向とする一対の成形型により点火ボタン１１を射出成形する場合にアンダーカット形状となる。点火ボタンは、成形性の観点から、アンダーカット形状を有しないシンプルな箱型等とされることが一般的であるが、本実施例２では、空隙２４５を形成することにより、前壁部３２を後壁部４０における突出部４１が接合する部位から離間させる構成を採用している。そして、補強壁部２５０が後面３２Ｂに連結する部位を除いて、前壁部３２を所定の厚さの平板状に形成して、ガスコンロ１の外側に露出する前壁部３２の前面３２Ａにヒケ等の局所的な成形不良を生じ難い構成が実現されている。
【００４２】
このように補強壁部２５０の厚さが突出部４１の厚さよりも小さい構成であれば、補強壁部２５０による補強構造を実現しつつ、補強壁部２５０の形成に起因するヒケを、より小さいもの、あるいは生じないものとすることができる。
【００４３】
＜他の実施例＞
本発明は上記記述及び図面によって説明した実施例に限定されるものではなく、例えば次のような例も本発明の技術的範囲に含まれる。
【００４４】
上述した実施例では、前壁部３２が第１壁部に相当する構成を例示したが、第１壁部の構成はこれに限られない。被押圧部８３の位置に応じて、下壁部３４や張出壁部３３等により第１壁部が構成されていてもよく、前壁部３２と張出壁部３３に跨って第１壁部が構成されていてもよい。
【００４５】
上述した実施例では、後壁部４０が第２壁部に相当する構成を例示したが、第２壁部の構成はこれに限られない。また、上述した実施例では、後壁部４０がそれぞれ周壁部３５と接続壁部３６を介して前壁部３２と連結される構成を例示したが、第２壁部が第１壁部と一体的に設けられる構成はこれに限られない。後壁部４０は、例えば、側端部が前壁部３２と連結される構成であってもよく、周壁部３５と接続壁部３６以外の他の部位を介して前壁部３２と連結される構成であってもよい。
【００４６】
上述した実施例では、突出部４１が上下方向に延びるリブ状をなす構成を例示したが、これに限られない。突出部は、突起状をなしていてもよく、また、格子リブ状をなしていてもよい。
【００４７】
上述した実施例では、空隙４５，２４５が前壁部３２の後面３２Ｂと後壁部４０の前面４０Ａとの間において補強壁部５０，２５０以外の領域に存在する構成を例示したがこれに限られない。例えば、後壁部の強度が確保される場合には、補強壁部を設けず、空隙が前壁部３２の後面３２Ｂと後壁部４０の前面４０Ａとの間において全域に存在する構成としてもよい。
【００４８】
上述した実施例以外にも、補強壁部の形状、厚さ寸法、後壁部４０への連結位置等を適宜設計可能である。例えば、上述した実施例では、補強壁部５０，２５０が空隙を左右に仕切る壁状をなす構成を例示したが、補強壁部は空隙を上下に仕切る壁状をなしていてもよい。
【００４９】
上述した実施例のガスコンロ１はビルトインコンロであるが、テーブルコンロ等であってもよい。
【符号の説明】
【００５０】
１…ガスコンロ（コンロ）
１１，２１１…点火ボタン（操作ボタン）
３２…前壁部（第１壁部）
３２Ａ…前面
３２Ｂ…後面
４０…後壁部（第２壁部）
４０Ａ…前面
４１…突出部
４５，２４５…空隙
４５Ａ，４５Ｂ…領域
５０，２５０…補強壁部（第３壁部）
５０Ａ…前端
８０…燃料供給装置
８３…被押圧部
【図１】
2020063873.tif 000003
【図２】
2020063873.tif 000004
【図３】
2020063873.tif 000005
【図４】
2020063873.tif 000006
【図５】
2020063873.tif 000007
【図６】
2020063873.tif 000008
【図７】
2020063873.tif 000009